(57)【特許請求の範囲】
【請求項１】
開口を形成する枠体に前記開口を閉塞可能且つスライド自在に設けられた障子を備えた建具であって、
前記障子により前記開口を閉塞した状態にて、前記障子の戸尻側となる戸尻部位と、当該戸尻側の部位と見込み方向において対向する対向部位との間に、
前記戸尻部位に設けられ、前記障子のスライド方向に沿う第一壁部を有する第一部材と、
前記対向部位に設けられ、前記第一壁部と前記戸尻部位との間に配置されて前記障子のスライド方向に沿う第二壁部を有する第二部材と、
を有し、
前記第一壁部は、前記第二壁部より戸尻側にて前記戸尻部位側に繋がり、
前記第二壁部は、前記第一壁部より戸先側にて前記対向部位側に繋がり、
前記第一部材および前記第二部材は、前記戸尻部位および前記対向部位より融点が高い難燃性または不燃性の部材にて形成されており、
前記第一壁部と前記第二壁部とのうちの一方に、他方に向かって突出する突部を有し、前記第一壁部と前記第二壁部とのうちの他方に、前記戸尻部位側、または、前記対向部位側と繋がっていない側が開放された凹部を有し、
前記障子により前記開口を閉塞した状態で前記突部が前記凹部に挿通されることを特徴とする建具。
【請求項２】
請求項１に記載の建具であって、
前記凹部は、開放されている側の端に、互いに対向する方向に突出する凹部突起を各々備えていることを特徴とする建具。
【請求項３】
請求項１または請求項２に記載の建具であって、
前記対向部位は、前記障子と見込み方向に隣り合うとともに引き違い状態に前記枠体に設けられた他の障子の戸尻部位であることを特徴する建具。
【請求項４】
請求項３に記載の建具であって、
前記障子と前記他の障子とは各々、長手方向に沿って中空部を備えて互いに対向する合成樹脂製の召合せ框と、前記召合せ框内に設けられた難燃性または不燃性の補強部材と、を備え、
前記第一部材は、前記障子に当接される第一固定部が当該障子の前記補強部材に固定されて当該障子の前記召合せ框に取り付けられ、
前記第二部材は、前記他の障子に当接される第二固定部が前記他の障子の前記補強部材に固定されて当該他の障子の前記召合せ框に取り付けられていることを特徴とする建具。
【請求項５】
請求項４に記載の建具であって、
前記突部は、前記第一壁部と前記障子の前記補強部材との間、または、前記第二壁部と前記他の障子の前記補強部材との間に架け渡され、前記第一壁部および前記障子の前記補強部材と各々、または、前記第二壁部および前記他の障子の前記補強部材と各々接合されていることを特徴する建具。
【発明の詳細な説明】
【技術分野】
【０００１】
本発明は、開口を形成する枠体に前記開口を閉塞可能且つスライド自在に設けられた障子を備えた建具に関する。
【背景技術】
【０００２】
開口を形成する枠体に前記開口を閉塞可能且つスライド自在に設けられた障子を備えた建具としては、例えば、枠体内に、内障子と外障子を引き違い状で走行自在となるように納めたサッシが知られている（例えば、特許文献１参照）。このサッシの内障子及び外障子が支持されて案内される下側のレールを構成する基部の上部には金属製のレール部材が設けられている。このため、内障子及び外障子が有し下側のレール上を走行する戸車は、金属部材同士が接触することを避けて合成樹脂にて形成される。
【先行技術文献】
【特許文献】
【０００３】
【特許文献１】特許第４０２７９２０号公報
【発明の概要】
【発明が解決しようとする課題】
【０００４】
上記サッシのように内障子および外障子を支持する戸車が合成樹脂にて形成されている場合のように、火災等により加熱された戸車などの障子の下端部が溶融することにより障子の位置が降下し、障子の上部において枠体との間に隙間が生じる、あるいは、障子が枠体から外れるおそれがあるという課題がある。
【０００５】
本発明は、かかる課題に鑑みてなされたものであり、その目的とするところは、火炎に晒された場合であっても障子が降下し難い建具を提供することにある。
【課題を解決するための手段】
【０００６】
かかる目的を達成するために本発明の建具は、開口を形成する枠体に前記開口を閉塞可能且つスライド自在に設けられた障子を備えた建具であって、前記障子により前記開口を閉塞した状態にて、前記障子の戸尻側となる戸尻部位と、当該戸尻側の部位と見込み方向において対向する対向部位との間に、前記戸尻部位に設けられ、前記障子のスライド方向に沿う第一壁部を有する第一部材と、前記対向部位に設けられ、前記第一壁部と前記戸尻部位との間に配置されて前記障子のスライド方向に沿う第二壁部を有する第二部材と、を有し、前記第一壁部は、前記第二壁部より戸尻側にて前記戸尻部位側に繋がり、前記第二壁部は、前記第一壁部より戸先側にて前記対向部位側に繋がり、前記第一部材および前記第二部材は、前記戸尻部位および前記対向部位より融点が高い難燃性または不燃性の部材にて形成されており、前記第一壁部と前記第二壁部とのうちの一方に、他方に向かって突出する突部を有し、前記第一壁部と前記第二壁部とのうちの他方に、前記戸尻部位側、または、前記対向部位側と繋がっていない側が開放された凹部を有し、前記障子により前記開口を閉塞した状態で前記突部が前記凹部に挿通されることを特徴とする建具である。
【０００７】
このような建具によれば、障子により開口を閉塞した状態にて、障子の戸尻部位と第一壁部との間に、戸尻部位と見込み方向において対向する対向部位に設けられた第二壁部が配置されるので、たとえ戸尻部位に反りや延びが生じたとしても、障子の第一壁部と第二壁部とが接触することにより戸尻部位と対向部位とが互いに離れる方向の移動を規制するので、戸尻部位と対向部位との間に隙間が生じることを抑えることが可能である。
【０００８】
また、障子により開口を閉塞した状態では、第一壁部と第二壁部とのうちの一方が有し、他方に向かって突出する突部が、他方に設けられ、障子の戸先方向が開放された凹部に挿通されているので、戸尻部位側または対向部位側のいずれかが火炎に晒され、火炎に近い側の部位、例えば障子の戸車や下枠が溶融して、当該障子が降下しようとする場合であっても、突部と凹部とが係合することにより障子が降下することを抑制することが可能である。このとき、第一部材および第二部材は難燃性または不燃性の部材であり、また、戸尻部位および対向部位より融点が高いので、たとえ火炎に近い側の部位が溶融したとしても、第一部材および第二部材は溶融または変形し難く形状が維持される。このため、障子がより降下し難い建具を提供することが可能である。
【０００９】
かかる建具であって、前記凹部は、開放されている側の端に、互いに対向する方向に突出する凹部突起を各々備えていることが望ましい。
このような建具によれば、障子がスライド方向に伸長する場合であっても、凹部の戸先側の端の互いに対向する方向に突出する凹部突起に突部が接触して、突部のスライド方向の移動が規制されるので、障子がスライド方向に伸長することを抑制することが可能である。
【００１０】
かかる建具であって、前記対向部位は、前記障子と見込み方向に隣り合うとともに引き違い状態に前記枠体に設けられた他の障子の戸尻部位であることとしてもよい。
このような建具によれば、対向部位が他の障子の戸尻部位となる、例えば、引き違い状に納められた障子の召合せ框同士の間に隙間が生じることを抑えることが可能である。
【００１１】
かかる建具であって、前記障子と前記他の障子とは各々、長手方向に沿って中空部を備えて互いに対向する合成樹脂製の召合せ框と、前記召合せ框内に設けられた難燃性または不燃性の補強部材と、を備え、前記第一部材は、前記障子に当接される第一固定部が当該障子の前記補強部材に固定されて当該障子の前記召合せ框に取り付けられ、前記第二部材は、前記他の障子に当接される第二固定部が前記他の障子の前記補強部材に固定されて当該他の障子の前記召合せ框に取り付けられていることが望ましい。
【００１２】
このような建具によれば、合成樹脂製の召合せ框を備えた障子同士であっても、各々の召合せ框内に設けられた難燃性または不燃性の補強部材に、難燃性または不燃性の第一部材および第二部材が固定されているので、たとえ合成樹脂製の召合せ框が溶融したとしても、難燃性または不燃性の第一部材と第二部材とが難燃性または不燃性の補強部材に取り付けられた状態で存在するので、召合せ框間に隙間が生じること抑えることが可能である。
【００１３】
かかる建具であって、前記突部は、前記第一壁部と前記障子の前記補強部材との間、または、前記第二壁部と前記他の障子の前記補強部材との間に架け渡され、前記第一壁部および前記障子の前記補強部材と各々、または、前記第二壁部および前記他の障子の前記補強部材と各々接合されていることが望ましい。
【００１４】
このような建具によれば、突部が、第一壁部と障子の補強部材との間、または第二壁部と他の障子の補強部材に架け渡されて各々接合されているので、第一壁部と障子の補強部材および戸尻部位との間隔または第二壁部と他の障子の補強部材および対向部位との間隔が広がり難く、剛性が高くなる。このため、戸尻部位と対向部位とが互いに離れる方向の移動をより確実に規制して、戸尻部位と対向部位との間に隙間がより生じ難い建具を提供することが可能である。
【発明の効果】
【００１５】
本発明によれば、火炎に晒された場合であっても召合せ部に隙間が生じにくい建具を提供することが可能である。
【図面の簡単な説明】
【００１６】
【図１】本実施形態に係る建具の横断面図である。
【図２】図１におけるＡ部の拡大図である。
【図３】内障子の召合せ框に設けられた第一部材を示す斜視図である。
【図４】外障子の召合せ框に設けられた第二部材を示す斜視図である。
【図５】障子に取り開口を閉塞した状態の第一部材と第二部材とを示す斜視図である。
【図６】凹部の変形例を示す図である。
【発明を実施するための形態】
【００１７】
以下、本発明の一実施形態に係る建具について図面を参照して説明する。
本実施形態の建具は、図１に示すように、内障子３および外障子４を備えた引違い窓用の建具１である。
【００１８】
以下の説明においては、建物等に取り付けられた状態の建具１を室内側から見たときに、上下となる方向を上下方向、左右となる方向を左右方向、室内外方向である奥行き方向を見込み方向として示す。建具１の各部位であっても、また、建具１を構成する各部材については単体の状態であっても、建具１が取り付けられた状態で上下方向、左右方向、見込み方向等となる方向にて方向を特定して説明する。
【００１９】
本実施形態の建具１は、矩形状に枠組みされた枠体１０と、枠体１０に沿って移動可能に設けられ、枠体１０により形成され室内と室外とを連通する開口１ａを閉塞可能且つスライド自在に設けられた内障子３および外障子４と、を備えている。
【００２０】
内障子３および外障子４は、面材としての複層ガラス５と、合成樹脂製の４本の框材６ａが矩形状に框組みされて複層ガラス５の周端部を収容して囲む框体６と、を有している。
【００２１】
内障子３および外障子４を構成する各框材６ａのガラス収容部および中空部を形成する部位は、同一の断面形状をなしており、框体６は、各框材６ａの長手方向における端部が各々４５度の傾斜をなすように切断され、互いに隣接する框材６ａ同士の端部を突き合わせて溶着されて形成されている（図３〜図５参照）。
【００２２】
内障子３の召合せ框３１および外障子４の召合せ框４１は、図２に示すように、框本体３１ａ、４１ａと、框本体３１ａ、４１ａに設けられた凹溝部３１ｂ、４１ｂに係合される押縁３１ｃ、４１ｃと、を有している。各々の召合せ框３１、４１は、矩形状に框組みされた框体６の状態において内周側に、框本体３１ａ、４１ａに係合された押縁３１ｃ、４１ｃとともに複層ガラス５の端部が収容されるガラス収容部３１ｄ、４１ｄを形成し、ガラス収容部３１ｄ、４１ｄの外周側に各々長手方向に貫通する中空部３１ｅ、４１ｅを有している。本実施形態においては、内障子３の召合せ框３１が障子の戸尻側の戸尻部位に相当し、戸尻部位と対抗する対向部位に他の障子としての外障子４の召合せ框４１が相当する。
【００２３】
内障子３および外障子４の召合せ框３１、４１が有する中空部３１ｅ、４１ｅ内には、各召合せ框３１、４１の長手方向に沿って不燃材である鉄製の補強部材１１が各々設けられており、矩形状をなすように互いに連結されている。各補強部材１１は、水平断面がコ字状をなし、見込み方向に対向する一対の対向壁部１１ａと、対向壁部１１ａのガラス収容部３１ｄ、４１ｄ側の端を連結する連結壁部１１ｂと、を有している。
【００２４】
また、内障子３の召合せ框３１および外障子４の召合せ框４１には、開口１ａを閉塞した状態にて互いに対向する部位に各々、互いに対向する側に設けられた対向片３１ｆ、４１ｆが設けられている。
【００２５】
内障子３の召合せ框３１の室外側に設けられた内対向片３１ｆは、召合せ框３１が有する中空部３１ｅを形成して外障子４の召合せ框４１と対向する室外側中空壁部３１ｇと見込み方向に間隔を隔ててほぼ平行に設けられており、内対向片３１ｆの、内障子３における戸尻側の縁と室外側中空壁部３１ｇとが見込み方向に沿う内見込壁部３１ｈにより連結されている。内対向片３１ｆと室外側中空壁部３１ｇとの間には、内障子３における戸尻側の縁と内見込壁部３１ｈとの間に、内見込壁部３１ｈから間隔を隔てて連結する内リブ３１ｉが設けられている。このため、内障子３の召合せ框３１には、内対向片３１ｆと内リブ３１ｉと室外側中空壁部３１ｇとにより、内障子３の戸先側に開放された内縦溝部３１ｊが上下方向に沿って形成されている。
【００２６】
外障子４の召合せ框４１の室外側に設けられた外対向片４１ｆは、召合せ框４１が有する中空部４１ｅを形成して内障子３の召合せ框３１と対向する室内側中空壁部４１ｇと見込み方向に間隔を隔ててほぼ平行に設けられており、外対向片４１ｆの、外障子４における戸尻側の縁と室内側中空壁部４１ｇとが見込み方向に沿う外見込壁部４１ｈにより連結されている。
【００２７】
外対向片４１ｆと室内側中空壁部４１ｇとの間には、外障子４における戸尻側の縁と外見込壁部４１ｈとの間に、外見込壁部４１ｈから間隔を隔てて連結する外リブ４１ｉが設けられている。このため、外障子４の召合せ框４１には、外対向片４１ｆと外リブ４１ｉと室内側中空壁部４１ｇとにより、外障子４の戸先側に開放された外縦溝部４１ｊが上下方向に沿って形成されている。また、外召合せ框４１には、外対向片４１ｆの、外見込壁部４１ｈと外リブ４１ｉとの間に、内召合せ框３１に当接すべく内召合せ框３１側に向かって突出するように、所謂モヘアと呼ばれる気密材１５が上下方向に沿ってほぼ全長に渡って設けられている。
【００２８】
内障子３および外障子４が、枠体１０により形成される開口１ａを閉塞するように枠体１０に装着された状態では、内縦溝部３１ｊに外対向片４１ｆの先端が入り込み、外縦溝部４１ｊに内対向片３１ｆの先端が入り込んで煙返しをなしている。
【００２９】
内障子３の召合せ框３１と外障子４の召合せ框４１には、上下方向における略中央に内障子３及び外障子４の移動を規制するクレセント錠ユニット７と、上端部側に召合せ框３１、４１間に隙間が生じにくいように係合する係合ユニット２０と、を有している。
【００３０】
クレセント錠ユニット７は、内障子３の召合せ框３１に設けられクレセント錠８と、外障子４の召合せ框４１に設けられクレセント錠８と係合して内障子３よび外障子４の移動を規制する錠受部材９と、を有している。
【００３１】
係合ユニット２０は、内障子３の召合せ框３１の上端部に設けられ、合成樹脂製の内障子３および外障子４の召合せ框３１、４１より融点が高く、不燃材である鉄製の第一部材２１と、外障子４の召合せ框４１の上端部側に設けられ、合成樹脂製の内障子３および外障子４の召合せ框３１、４１より融点が高く、不燃材である鉄製の第二部材２６と、を有している。
【００３２】
第一部材２１は、図３に示すように、召合せ框３１の室外側中空壁部３１ｇにおける内見込壁部３１ｈにより戸尻側の部位に当接される第一固定部としての内固定部２２と、内固定部２２の戸先側の縁から外障子４側に延出された内延出壁部２３と、内延出壁部２３の室外側の縁から戸先側に延出され内障子３のスライド方向に沿う第一壁部２４と、を有している。
【００３３】
第一部材２１は、内障子３の召合せ框３１の上端側において内対向片３１ｆが切除された部位を覆うように設けられ、内固定部２２が室外側中空壁部３１ｇに当接されて、内固定部２２と室外側中空壁部３１ｇとを貫通するビスにより召合せ框３１の中空部３１ｅ内に設けられた補強部材１１に螺合されて固定される。固定された第一部材２１は、下端部が内対向片３１ｆおよび内見込壁部３１ｈの上端部と重なって内対向片３１ｆおよび内見込壁部３１ｈに沿って配置され、内障子３の上端と同じ高さまで続いている。
【００３４】
第一部材２１の第一壁部２４には、室外側中空壁部３１ｇに向かって突出する突部としての突出ビス２５が室外側から室内側に向かって進入するように螺合されており、突出ビス２５は、室外側中空壁部３１ｇを貫通して召合せ框３１の中空部３１ｅ内に設けられた補強部材１１に螺合されている。
【００３５】
第二部材２６は、図４に示すように、召合せ框４１の室内側中空壁部４１ｇに当接される第二固定部としての外固定部２７と、外固定部２７の戸尻側の縁から内障子３側に延出された外延出壁部２８と、外延出壁部２８の室内側の縁から戸先側に延出され外障子４のスライド方向に沿う第二壁部２９と、を有している。
【００３６】
第二部材２６は、外障子４の召合せ框４１において上端側が切除された外対向片４１ｆの上に下端が位置するように配置され、外固定部２７が室内側中空壁部４１ｇに当接されて、外固定部２７と室内側中空壁部４１ｇとを貫通するビスにより召合せ框４１の中空部４１ｅ内に設けられた補強部材１１に螺合されて固定される。
【００３７】
第二壁部２９には、外障子４の戸先側の縁に、戸先方向が開放されて戸尻側に窪みほぼ矩形状の凹部３０が設けられている。第二部材２６は、凹部３０の凹部上縁３０ａと凹部下縁３０ｂとがほぼ水平をなし、凹部側縁３０ｃがほぼ鉛直をなすように取り付けられる。
【００３８】
第一部材２１が取り付けられた内障子３と第二部材２６が取り付けられた外障子４とを、枠体１０に開口１ａを閉塞するように装着すると、図５に示すように、第二部材２６の第二壁部２９が、第一部材２１の第一壁部２４と召合せ框３１の室外側中空壁部３１ｇとの間に配置され、第一部材２１の突出ビス２５が、第二部材２６の凹部３０のほぼ中央に位置するように配置される。このとき、第一部材２１の上下方向の長さは第二部材２６の上下方向の長さより長く、第一部材２１が第２部材２６の上側および下側に突出するように配置される。なお、図５においては、内障子３を省略して示している。
【００３９】
内障子３および外障子が枠体１０に取り付けられた状態で、内障子３および外障子４をスライドすると突出ビス２５は凹部３０の凹部上縁３０ａと凹部下縁３０ｂとの間を移動する。また、内障子３と外障子４とが開口１ａを閉塞している状態で、例えば火炎等に晒されて内障子３と外障子４とのうちのいずれか一方が他方より上下方向に伸長する、或いは、内障子３と外障子４とのうちのいずれか一方の框来６の下部が溶融して内障子３または外障子４が降下すると突出ビス２５が凹部３０の凹部上縁３０ａまたは凹部下縁３０ｂに接触して上下方向の伸長または降下が規制される。
【００４０】
本実施形態の建具１によれば、内障子３および外障子４により開口１ａを閉塞した状態にて、内障子３の召合せ框３１と第一壁部２４との間に、召合せ框３１と見込み方向において対向する外障子４の召合せ框４１に設けられた第二壁部２９が配置されるので、たとえ召合せ框３１、４１に反りや延びが生じたとしても、内障子３の第一壁部２４と外障子４の第二壁部２９とが接触して内障子３の召合せ框３１と外障子４の召合せ框４１とが互いに離れる方向の移動を規制する。このため、内障子３の召合せ框３１と外障子４の召合せ框４１との間に隙間が生じることを抑えることが可能である。
【００４１】
また、内障子３および外障子４により開口１ａを閉塞した状態では、第一壁部２４が有し第二壁部２９に向かって突出する突出ビス２５が、第二壁部２９に設けられ、外障子４の戸先側が開放された凹部３０に挿通されているので、内障子３側または外障子４側のいずれかが火炎に晒され、火炎に近い側に位置する内障子３または外障子４が有する戸車や、枠体１０において内障子３または外障子４を支持する部位が溶融して、内障子３側または外障子４が降下しようとする場合であっても、突出ビス２５と凹部３０とが係合することにより内障子３または外障子４が降下することを抑制することが可能である。
【００４２】
より具体的には、火元が室内側の場合には、室内側に位置する内障子３の戸車や、枠体１０において内障子３を支持する部位が溶融して当該内障子３が降下し始めたとしても、火元から遠い側に位置する外障子４は枠体１０に支持された状態が維持されている。このため、内障子３が降下したとしても、内障子３に設けられた第一部材２１の突出ビス２５が、外障子４に設けられた第二部材２６の凹部３０の凹部下縁３０ｂと係合することにより内障子３の更なる降下が抑えられる。
【００４３】
また、火元が室外側の場合には、室外側に位置する外障子４の戸車や、枠体１０において外障子４を支持する部位が溶融して当該外障子４が降下し始めたとしても、火元から遠い側に位置する内障子３は枠体１０に支持された状態が維持されている。このため、外障子４が降下したとしても、外障子４に設けられた第二部材２６の凹部３０の凹部上縁３０ａが、内障子３に設けられた第一部材２１の突出ビス２５と係合することにより外障子４の更なる降下が抑えられる。
【００４４】
このとき、第一部材２１および第二部材２６は不燃性の鉄製であり、また、内障子３の召合せ框３１および外障子４の召合せ框４１より融点が高いので、たとえ火炎に近い側の内障子３または外障子４が溶融したとしても、第一部材２１および第二部材２６は溶融または変形し難く形状が維持される。このため、内障子３または外障子４が降下することをより確実に抑えることが可能である。
【００４５】
また、突出ビス２５が、第一壁部２４と内障子３の召合せ框３１との間に架け渡されて各々接合されているので、第一壁部２４と内障子３の召合せ框３１との間隔が広がり難く、剛性が高くなる。このため、内障子３の召合せ框３１と外障子４の召合せ框４１とが互いに離れる方向の移動をより確実に規制して、内障子３の召合せ框３１と外障子４の召合せ框４１との間に隙間がより生じ難い建具１を提供することが可能である。
【００４６】
また、第一部材２１は、召合せ框３１の中空部３１ｅ内に設けられた補強部材１１にビスにより接合されて召合せ框３１に取り付けられており、第二部材２６は、召合せ框４１の中空部４１ｅ内に設けられた補強部材１１にビスにより接合されて召合せ框４１に取り付けられている。このため、合成樹脂製の召合せ框３１、４１を備えた内障子３および外障子４であっても、各々の召合せ框３１、４１内に設けられた鉄製の補強部材１１に、鉄製の第一部材２１および第二部材２６が取り付けられているので、たとえ合成樹脂製の召合せ框３１、４１が溶融したとしても、鉄製の第一部材２１と第二部材２６とが鉄製の補強部材１１に取り付けられた状態で存在するので、内障子３または外障子４が降下することをより確実に抑えることが可能である。
【００４７】
上記実施形態においては、引き違い窓用の建具１を例に挙げて説明したが、これに限らず、障子の召合せ框が縦骨と対向する片引き窓用の障子や、見込み方向に複数枚の障子を備えた建具であっても構わない。例えば、片引き窓用の障子の場合には、戸尻部位は障子の戸尻框に相当し、戸尻部位と見込み方向において対向する対向部位は縦骨に相当する。
【００４８】
上記実施形態においては、内障子３に第一部材２１が設けられ、外障子４に第二部材２６が設けられている例について説明したが、外障子４に第一部材２１が設けられ、内障子３に第二部材２６が設けられていても構わない。
【００４９】
上記実施形態においては、第一部材２１に設けられた突出ビス２５が召合せ框３１の中空部３１ｅ内に設けられた補強部材１１に螺合されて固定される例について説明したが、突出ビスは凹部３０に挿通されていれば、補強部材１１に螺合されていなくとも構わない。また、突部は第一壁部２４から第二壁部２９側に突出して凹部３０に挿通されていれば、ビスでなくとも構わず、例えば、ピンまたは第一壁部２４を曲げ起こした部位、第一壁部２４から切り起こした部位などであっても構わない。また、凹部の形状は、突部の形状に対応し、内障子３および外障子４の一方が他方より伸長した際に、一方の伸長を規制できる形状、または、内障子３および外障子４の一方が降下した際に、他方が支持できる形状であれば構わない。また、突部が第二部材に設けられ凹部が第一部材に設けられていても構わない。
【００５０】
上記実施形態においては、第二部材２６の凹部３０がほぼ矩形状をなしている例について説明したが、これに限るものではない。例えば、図６に示すように、凹部３０の戸先側の端に、互いに対向する方向に突出する凹部突起３０ｄを有し、戸先側の端が戸尻側より狭く形成されていてもよい。凹部３０における凹部突起３０ｄより奥側の領域３０ｅは、ほぼ水平に配置される凹部上縁３０ａと凹部下縁３０ｂと、ほぼ鉛直に配置される凹部側縁３０ｃとによりほぼ矩形状をなしている。
【００５１】
第一部材２１が取り付けられた内障子３と凹部突起３０ｄを有する凹部３０が形成された第二部材２６が取り付けられた外障子４とを、枠体１０に開口１ａを閉塞するように装着すると、第二部材２６の第二壁部２９が、第一部材２１の第一壁部２４と召合せ框３１の室外側中空壁部３１ｇとの間に配置され、第一部材２１の突出ビス２５が、第二部材２６の凹部３０における奥側の領域３０ｅのほぼ中央に位置するように配置される。
【００５２】
内障子３および外障子が枠体１０に取り付けられた状態で、内障子３および外障子４をスライドすると突出ビス２５は凹部３０に設けられた２つの凹部突起３０ｄ間を移動する。また、内障子３と外障子４とが開口１ａを閉塞している状態で、例えば火炎等に晒されて内障子３と外障子４とのうちのいずれか一方が他方より上下方向に伸長する、或いは、内障子３と外障子４とのうちのいずれか一方の下框６ａが溶融して降下すると突出ビス２５が凹部３０の凹部上縁または凹部下縁に接触して上下方向の伸長または降下が規制される。また、火炎等に晒されて内障子３と外障子４とのうちのいずれか一方が他方よりスライド方向に伸長すると、突出ビス２５が凹部３０の凹部側縁３０ｃまたは凹部突起３０ｄに接触してスライド方向の伸長が規制される。
【００５３】
上記実施形態においては、補強部材１１、第一部材２１、第二部材２６を不燃性の鉄製としたが、アルミニウム、ステンレス等の不燃性の金属等は、もちろんのこと、難燃性の材料で構成しても構わない。このとき、第一部材および第二部材は、内障子および外障子の召合せ框より融点が高い部材で形成されている。
【００５４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５５】
１  建具、１ａ  開口、３  内障子、４  外障子、１０  枠体、１１  補強部材、
２１  第一部材、２２  内固定部、２４  第一壁部、２５  突出ビス、２６  第二部材、
２７  外固定部、２９  第二壁部、３０  凹部、３０ｄ  凹部突起、
３１  召合せ框、３１ｅ  中空部、３１ｇ  室外側中空壁部、４１  召合せ框、
４１ｅ  中空部、４１ｇ  室内側中空壁部、
【図１】
0006328510.tif 000002
【図２】
0006328510.tif 000003
【図３】
0006328510.tif 000004
【図４】
0006328510.tif 000005
【図５】
0006328510.tif 000006
【図６】
0006328510.tif 000007